(57)【要約】  【課題】  個々の商品に商品情報を付する必要を無くし、商品購入者に負荷を与えることなく、清算処理をスムーズにするセルフチェックアウトシステムを提供することが課題である。  【解決手段】  商品の購入情報を記憶するＲＦＩＤ１が備えられた買い物籠１０と、商品の重量単位の価格情報を備える重量単価データ部２１と、商品購入の際、ＲＦＩＤの購入情報を読み込む読込部２２と、新たに購入する商品を買い物籠に入れることで買い物籠の重量を測定する測定部２３と、測定した商品の重量と重量単位の価格情報とから価格情報を算出する算出部２４と、購入する商品の価格情報をＲＦＩＤに書込む書込部１５とを備えたリードライト部２０と、ＲＦＩＤの購入情報を読取るリード部３１と、読み取った購入情報を表示する清算表示部３２とを有するレジ部３０とを備えてセルフチェックアウトシステム１００を構成する。【選択図】        図１
2009238025.tif 000002
【特許請求の範囲】
【請求項１】
商品の購入情報を記憶するＲＦＩＤが備えられた買い物籠と、
当該商品の重量単位の価格情報を備える重量単価データ部と、商品購入の際、上記ＲＦＩＤの購入情報を読み込む読込部と、新たに購入する商品を買い物籠に入れることで買い物籠の重量を測定する測定部と、測定した商品の重量と上記重量単位の価格情報とから代金情報を算出する算出部と、
購入する商品の代金情報と上記購入情報を積算し購入情報として上記ＲＦＩＤに書込む書込部とを備えたリードライト部と、
上記ＲＦＩＤの購入情報を読取るリード部と、読み取った購入情報を表示する清算表示部とを有するレジ部とを備えるセルフチェックアウトシステム。
【請求項２】
上記ＲＦＩＤは、買い物籠の底部に備えることを特徴とする請求項１記載のセルフチェックアウトシステム。
【請求項３】
上記リードライト部は、上記代金情報を表示する代金表示部を備えることを特徴とする請求項１または２記載のセルフチェックアウトシステム。
【請求項４】
上記買い物籠は、購入情報を表示する購入表示部を備えることを特徴とする請求項１、２または３記載のセルフチェックアウトシステム。
【発明の詳細な説明】
【技術分野】
【０００１】
本発明は、購入する商品の清算処理を購入者が自ら行なうセルフチェックアウトシステムに関し、詳しくは、買い物籠単位で清算処理を行なうセルフチェックアウトシステムに関する。
【背景技術】
【０００２】
従来から、購入する商品の清算処理を購入者が行なうセルフチェックアウトシステムの技術が開示されている。
例えば、特許文献１に示すように、商品個々に商品情報が付され、ショッピングカートに商品が入れる際に、商品に付された商品情報を読取りショッピングカート単位で清算処理を行なう技術がある。
この技術によれば、商品をショッピングカートに入れることで支払い料金が積算されるので、レジにて購入商品の集計をする必要がなく、入金処理だけでチェックアウトを終了することができる。
【０００３】
【特許文献１】特開平０８−１４２８７１号公報
【発明の開示】
【発明が解決しようとする課題】
【０００４】
しかし、特許文献１の技術を適用する場合、個々の商品に商品情報（値札等）を付する必要がある。
また、商品情報を読み取るため、ショッピングカートに読取機材を取り付ける必要が生じる。また、ショッピングカートにて商品情報を読み取らせるには、読取機材に商品情報を読み取らせる作業が生じ、商品購入者に新たな負荷を与えてしまう。
【０００５】
本発明は以上のような諸問題にかんがみなされたもので、個々の商品に値札等の商品情報を付する必要を無くし、商品購入者に負荷を与えることなく、清算処理をスムーズにするセルフチェックアウトシステムを提供することが課題である。
【課題を解決するための手段】
【０００６】
すなわち本発明は、商品の購入情報を記憶するＲＦＩＤが備えられた買い物籠と、商品の重量単位の価格情報を備える重量単価データ部と、商品購入の際、ＲＦＩＤの購入情報を読み込む読込部と、新たに購入する商品を買い物籠に入れることで買い物籠の重量を測定する測定部と、測定した商品の重量と重量単位の価格情報とから代金情報を算出する算出部と、購入する商品の代金情報と購入情報を積算し購入情報としてＲＦＩＤに書込む書込部とを備えたリードライト部と、ＲＦＩＤの購入情報を読取るリード部と、読み取った購入情報を表示する清算表示部とを有するレジ部とを備えてセルフチェックアウトシステムを構成する。
【０００７】
本発明は、商品に値札等を付することなく、商品の重量に応じて代金を支払う秤売りの方式に基づく。
商品を購入する場合は、購入したい商品に対応するリードライト部に買い物籠を持って行く。リードライト部は、買い物籠に取り付けられたＲＦＩＤの購入情報を読込部で読み込む。次に、買い物籠の重量を測定してから購入する商品を買い物籠に入れ、重量単位の価格情報を基に購入個数及び代金等の代金情報を算出し、読み込んだ購入情報に積算して新たな購入情報として買い物籠のＲＦＩＤに書込む。レジ部では、買い物を終えた買い物籠のＲＦＩＤから購入情報を読取り、購入情報を清算表示部にて表示する。
【０００８】
更に、ＲＦＩＤは、買い物籠の底部に備える。
リードライト部は、買い物籠を載置する台状に構成する。読込部及び書込部は、台表面に配置する。
【０００９】
更に、リードライト部は、代金情報を表示する代金表示部を備える。
購入する商品の代金を確認することができる。
【００１０】
更に、買い物籠は、購入情報を表示する購入表示部を備える。
購入情報として、直近の代金情報や、購入リストが表示できる。
【発明の効果】
【００１１】
以上のように本発明によれば、商品毎に設置したリードライト部の重量単価データ部において、予め重量単位の金額を設定しているので、購入する商品の重量を測ることにより、購入個数、支払代金等の代金情報が算出できる。
すなわち、個々の商品に値札等の商品情報を設ける必要がない。また、商品購入者は、商品を買い物籠に入れるだけで、代金情報が積算できる。従って、レジ部では、個々の商品情報を読取る必要がなくなり、積算された代金の支払いだけが行なわれる。一般のセルフレジにおいて商品購入者が課される清算処理を無くすことができ、セルフレジにて商品購入者が受ける負荷を大幅に削減することができる。
【発明を実施するための最良の形態】
【００１２】
本発明の実施の形態に係るアンテナ位置調節機構を図１乃至図６に基づき説明する。
図１に示すように、セルフチェックアウトシステム１００は、商品の購入情報を記憶するＲＦＩＤ１が備えられた買い物籠１０と、商品の重量単位の価格情報を備える重量単価データ部２１と、商品購入の際、ＲＦＩＤ１の購入情報を読み出す読込部２２と、新たに購入する商品を買い物籠に入れることで買い物籠の重量を測定する測定部２３と、測定した商品の重量と重量単位の価格情報とから価格情報を算出する算出部２４と、購入する商品の価格情報を上記ＲＦＩＤ１に書込む書込部２５とを備えたリードライト部２０と、ＲＦＩＤ１の購入情報を読取るリード部３１と、読み取った購入情報を表示する清算表示部３２とを有するレジ部３０とを備えて構成する。
【００１３】
ＲＦＩＤ１は、メモリを有するＩＣチップとアンテナとを備えたインレットを格納した板状カードとし、インレットを構成するメモリには、購入情報が記憶できる。購入情報には、買い物籠の重量（商品重量を含む）、日付情報、商品名、個数、金額及び精算金額が含まれている。
買い物籠１０は、通常用いられる樹脂製の籠でよく、底部にＲＦＩＤ１が埋め込まれている。
更に、買い物籠１０には、図示しないが購入情報を表示する購入表示部があり、ＲＦＩＤ１の購入情報を無線交信により読取り表示する。
重量単価データ部２１には、商品種毎に所定重量単位の価格が設定してある。
【００１４】
リードライト部２０は、図２に示すように、買い物籠１０が載置できる形状に形成している。
読込部２２及び書込部２５は、一体に形成され、書き物籠１０を載置した際にＲＦＩＤ１と近接するように配置する。読込部２２及び書込部２５は、共通のアンテナを有しＲＦＩＤ１と交信する。
測定部２３は、電子秤であり、買い物籠１０を載置することによりＯＮ動作し、買い物籠１０を外すことによりＯＦＦ動作する。計量値は、算出部へ供与される。
算出部２４は、重量単価データ部２１の設定価格と計量値を用いて購入商品の代金や個数等の代金情報を計算する。
リードライト部２０は、代金情報を表示する代金表示部２６を備えており、算出部で得られた代金情報は、代金表示部にて表示される。
【００１５】
レジ部３０は、図３に示すように、リードライト部２０と同様に、買い物籠１０が載置できる形状に形成している。
リード部３１は、書き物籠１０を載置した際にＲＦＩＤ１と近接するように配置する。リード部３１は、アンテナを有しＲＦＩＤ１の購入情報を無線にて読み出す。また、リード部３１にはメモリをクリアにする機能を有している。
清算表示部３２は、リード部３１で読み出した購入情報を表示する。また、清算表示部３２は、購入商品リストを表示することができ、購入個数の訂正機能を有している。商品購入者は、清算表示部に表示された購入情報から支払代金を確認し、入出金部で現金やクレジットカード等にて入金しチェックアウトを行う。清算が終了すると、リード部３１はＲＦＩＤ１のメモリを消去する。
【００１６】
図４に、チェックアウトシステム１００を用いたショッピング環境の一例を示す。
ここでは、商品（値札無し）毎に陳列場所（Ａ〜Ｆ）を定めており、陳列場所にその商品に対応するリードライト２０を設置している。また、出入口には、レジ部３０を設定している。
図５に示すリードライト２０における動作フローと、図６に示すレジ部３０における動作フローとに基づいて、商品購入の説明を行なう。
【００１７】
先ず、商品購入者は、入口にて買い物籠１０を受け取り（Ｍ１）、所望とする商品が陳列されている場所に移動する。購入する商品に対応するリードライト２０に買い物籠１０を載置する（Ｍ２）と、リードライト２０は、購入情報を読込む（Ｍ３）と共に、買い物籠１０の重量を測定する（Ｍ４）。買い物籠１０に商品が入っていない状態では、購入情報は初期状態（情報が無い状態）になっている。
商品購入者は、商品を所望量買い物籠１０に入れる（Ｍ５）。リードライト２０は商品重量を測定し（Ｍ６）、代金情報を算出し（Ｍ７）、代金情報を購入情報に積算してＲＦＩＤ１に書込む（Ｍ８）。
更に、購入商品がある場合（Ｍ９）には、Ｍ３処理に戻り購入処理を続ける。このように、購入商品がある限り、順次購入情報が更新されていくことになる。
【００１８】
商品購入を終えると、商品購入者はレジ部３０へ移動し、買い物籠１０をレジ部３０に載置する（ａ）。レジ部３０は、買い物籠１０のＲＦＩＤ１から購入情報を読込む（ｂ）共に、買い物籠１０の重量を計測する（ｃ）。
購入情報の買い物籠１０の重量と計測した重量が一致する場合（ｄ）は、清算表示部３２に支払額を表示する（ｅ）。商品購入者が支払額を入出金から入金すると（ｆ）、レジ部３０は買い物籠１０のＲＦＩＤ１が記憶している購入情報を消去する（ｇ）。一方、購入情報の買い物籠１０の重量（算出重量）と計測した重量（実重量）が一致しない場合（ｄ）は、清算表示部３２に購入商品リストが表示される。商品購入者は、買い物籠１０に在る商品とその個数を確認し（ｈ）、必要に応じて個数の訂正を行い（ｉ）、再度算出重量と実重量とを比較する。清算データ（レシート）は、入出金部から、釣り銭と共に出力される。
【００１９】
上述の如く、本発明のセルフチェックアウトシステムに依れば、商品に値札等を貼り付けることなく、秤売り方式で商品を購入者に提供することができる。値札を必要としないことから資源保護に寄与できる。
支払い代金は、買い物籠に商品を入れる度に積算されるので、レジ部にて一々値札の読み取り処理をする必要がない。買い物籠をレジ部に置くだけで支払い代金が表示されるので、購入者のレジ部における負荷を無くすことができる。
【００２０】
上記実施の形態に係るセルフチェックアウトシステムにおいて、清算データについては特定しなかったが、レシートにリライタブル可能な材料を利用し電子データで出力せせることもできる。
また、ＲＦＩＤを買い物籠に固定させて利用したが、これに限定されることはない。例えば、ＲＦＩＤを買い物籠に対して着脱可能にし、買い物の際に買い物籠に取り付けるようにすることができる。この場合、ＲＦＩＤは清算処理が終わった後買い物籠から取り外すことができるで、商品の購入情報が蓄積された電子レシートとしても利用可能になる。
【図面の簡単な説明】
【００２１】
【図１】本発明の実施の形態に係るセルフチェックアウトシステムのブロック構成図。
【図２】リードライト部の外観図。
【図３】レジ部の外観図。
【図４】本発明の実施の形態に係るセルフチェックアウトシステムを適用したショッピング環境の説明図。
【図５】リードライト部の動作説明図。
【図６】レジ部の動作説明図。
【符号の説明】
【００２２】
１００  セルフチェックアウトシステム
１    ＲＦＩＤ
１０    買い物籠
２０    リードライト部
２１    重量単価データ部
２２    読込部
２３    測定部
２４    算出部
２５    書込部
２６    代金表示部
３０    レジ部
３１    リード部
３２    清算表示部
【図１】
2009238025.tif 000003
【図２】
2009238025.tif 000004
【図３】
2009238025.tif 000005
【図４】
2009238025.tif 000006
【図５】
2009238025.tif 000007
【図６】
2009238025.tif 000008